(57)【要約】      （修正有）【課題】毛の散乱やゴミが舞い飛ぶことを防ぎつつ、乾燥効率の高いペット用ドライヤーを提供する。【解決手段】ヘッド部１と、吸引及び分離機能を有する本体とを吸引ホースで連結したペット用ドライヤーにおいて、ヘッド部１は、空気を加熱する電熱部６と、温風流出部８ａ，８ｂと、吸引口１０とより成り、本体は、水分及びゴミを捕集するタンク部と、吸引装置と、固気分離のフィルター付き排気口とより成る。【選択図】図１
0003142624.tif 000002
【実用新案登録請求の範囲】
【請求項１】
温風流出部と空気の吸引口とを有するヘッド部と、吸引及び分離機能を有する本体とを吸引ホースで連結したペット用ドライヤーにおいて、前記ヘッド部は、空気を加熱する電熱部と、温風流出部と、吸引口とより成り、前記本体は、水分及びゴミを捕集するタンク部と、吸引装置と、固気分離のフィルター付き排気口とより成ることを特徴としたペット用ドライヤー。
【請求項２】
水分及びゴミを捕集するタンク部と、吸引装置とを吸引ホースで連結したことを特徴とする請求項１記載のペット用ドライヤー。
【請求項３】
ヘッド部に本体を制御する操作盤を設けたことを特徴とする請求項１記載のペット用ドライヤー。
【請求項４】
ヘッド部の吸引口にブラシを着脱自在に取り付けたことを特徴とする請求項１乃至請求項３のいずれか１つに記載のペット用ドライヤー。
【請求項５】
ヘッド部の吸引口に中空ブラシ片よりなるブラシを取り付け、前記ブラシ片の先端から温風が流出するようにしたことを特徴とする請求項１乃至請求項３のいずれか１つに記載のペット用ドライヤー。
【考案の詳細な説明】
【技術分野】
【０００１】
本考案は、温風を生成、流出できるヘッド部と、吸引と分離ができる本体とを吸引ホースで連結したペット用ドライヤーに関する。
【背景技術】
【０００２】
従来、ペット用ドライヤーは、ペットショップなどで用いられており、例えば、特許文献１のように、キャスターを備えたスタンドの上部に外側から挿入して締付けボルトにより固定された二又形の支持体に、電動モータで駆動回転されるファンにより発生する風をヒータ手段で加熱して吹出管から温風が吹き出されるようにしたドライヤー本体を取り付けるものなどがあった。
【特許文献１】実用新案登録第３０６３６８２号公報
【考案の開示】
【考案が解決しようとする課題】
【０００３】
従来のペット用ドライヤーは、温風を吹き出すように構成されているため、ペットに付着した水分を乾燥させることには適しているが、ペットの抜け毛や毛に付着したゴミが温風により吹き飛ばされるため、特に家屋内での使用において、毛の散乱やゴミが飛散するおそれがあった。
【０００４】
一方、毛の散乱やゴミが舞い飛ぶことを防ぐために、掃除機等の吸引装置を利用する場合、一般の掃除機のみでは、水分を一緒に吸引し難い問題点があった。
【０００５】
また、水分も吸引できるドライヤーであれば、乾燥効率を高めるべく温風を利用したものであって、その温風が効率よくペットにあたるような構造が望ましかったが、そのような物の提案はなかった。
【課題を解決するための手段】
【０００６】
本考案のペット用ドライヤーは、温風流出部と空気の吸引口とを有するヘッド部と、吸引及び分離機能を有する本体とを吸引ホースで連結したペット用ドライヤーであって、前記ヘッド部は、空気を加熱する電熱部と、温風流出部と、吸引口とより成り、前記本体は、水分及びゴミを捕集するタンク部と、吸引装置と、固気分離のフィルター付き排気口とより成るペット用ドライヤーとしたことで、前記従来の問題点を解決したのである。
【０００７】
前記電熱部で生成された温風は、吸引を行うことで、前記温風流出部を通って、ペットにあたった後、吸引口から吸引される。ここで、前記温風流出部は、前記電熱部で生成された温風をペットに効率良くあてるために設けたものであって、前記目的を達成できるものであれば形状は問わない。
【０００８】
前記吸引口からは、空気とともに、ペットに付着した水分及びペットの毛やゴミも同時に吸引し、前記吸引ホースを通過した後、まず、前記タンク部で水分及び大きいゴミを分離、捕集する。その後、前記固気分離フィルターにより微細な毛やゴミを取り除き、前記排気口より排気される。
【０００９】
前記ヘッド部には、操作性向上のため、操作盤を設置し、本体を制御することができるようにしてある。
【００１０】
また、前記水分及びゴミを捕集するタンク部と、前記吸引装置とは、一体であるか否かを問わず、前記タンク部と前記吸引装置とを吸引ホースで連結することもできる。この場合、前記吸引装置は家庭用電気掃除機を利用することができる。
【００１１】
また、前記ヘッド部の吸引口には、ブラッシング機能を追加すべく、ブラシを着脱自在に取り付けることができる。該ブラシは、対象となるペットの毛の太さや長さに応じて異なるブラシ片のものを採用できる。
【００１２】
また、本考案の他のペット用ドライヤーは、乾燥効率を高めるべく、前記ヘッド部の吸引口に中空のブラシ片より成るブラシを取り付け、ブラシ片の先端から温風が流出することを特徴とする。
【考案の効果】
【００１３】
本考案の請求項１記載のペット用ドライヤーによれば、ヘッド部に温風流出部を設けたことで、電熱部の熱が効率よく吸入空気を加熱し、ペットにあたって、吸引される効果がある。
【００１４】
また、本体に、水分及びゴミを捕集するタンク部と、排気口の固気分離のフィルターとを設けたことで、吸引と分離が合理的に行われ、水分やゴミが入り込むことなく使用できるものとなった。
【００１５】
本考案の請求項２記載のペット用ドライヤーによれば、水分及びゴミを捕集するタンク部と、吸引装置とを分離したことで、前記吸引装置については家庭用電気掃除機を利用するといった、柔軟な構成での使用が可能となった。
【００１６】
本考案の請求項３記載のペット用ドライヤーによれば、ヘッド部に操作盤を設け本体を制御することで、操作性が向上した。
【００１７】
本考案の請求項４記載のペット用ドライヤーによれば、ヘッド部の吸引口に着脱自在のブラシを取り付けたことで、ドライヤーにブラッシング機能を追加し、ペットの状態に応じてブラシの形状を変えるなど性能向上と利便性を高めた。
【００１８】
本考案の請求項５記載のペット用ドライヤーによれば、中空のブラシ片の先端部を温風流出部としたことで、温風がペットの毛の根元部分の皮膚へ直接あたるため、乾燥効率が向上した。
【考案を実施するための最良の形態】
【００１９】
温風流出部と空気の吸引口とを有するヘッド部と吸引及び分離機能を有する本体とを吸引ホースで連結したペット用ドライヤーにおいて、前記ヘッド部は、吸引口と、空気を加熱する電熱部と、温風流出部と、本体を制御する操作盤より成り、前記温風流出部は、前記吸引口に中空ブラシ片よりなるブラシを取り付け、前記ブラシ片の先端から温風が流出することとしたものであって、前記本体は、水分及びゴミを捕集するタンク部と、吸引装置と、固気分離のフィルター付き排気口とより成ることを特徴としたペット用ドライヤーである。
【実施例１】
【００２０】
本考案の実施例を図１及び図２について説明すれば、このペット用ドライヤーは、図２図示のように、ヘッド部１と吸引及び分離機能を有する本体２とを、吸引ホース１５で連結したものである。
【００２１】
前記ヘッド部１は、下面に開口部を設けた略直方体形状であって、図１（ａ）図示の通り、内側に仕切り１ｂを設けて前記開口部を仕切り、該仕切り１ｂの前方の開口部を温風流出部８ａ、後方の開口部を吸引口１０とした。また、前記ヘッド部１の先端部に空気の吸入口９を設けて、該吸入口９と前記流出部８ａの間に、空気を加熱する電熱部６を内装した。
【００２２】
前記仕切り１ｂには、図１（ａ）、（ｃ）図示の通り、前記吸引口１０側に伸びる略円筒状の温風流出部８ｂ、８ｂを設けた。
【００２３】
また、前記ヘッド部の開口部の前縁部に、空気の流れを遮断するためのガード７を設けた。
【００２４】
次に、前記本体２は、水分及びゴミを捕集するタンク部１６と、吸引動力部１７及び該吸引動力部１７に接続されたファン１８と、固気分離のフィルター１９、排気口２０とより成る。
【００２５】
前記において、吸引時には、図１（ｂ）図示の各矢示の方向に空気が流動する。これにより、前記電熱部６で生成された温風は、一部は前記温風流出部８ａからペット５にあたり、吸引口１０から吸引される。また、一部は図１（ｃ）図示の通り、前記温風流出部８ｂ、８ｂ及び仕切り１ｂの下方を通過し、吸引される。これにより、ペットの体の表面の広範囲に温風をあてることができる。
【００２６】
また、前記吸引口１０からは、空気とともに、ペットに付着した水分１２、１２及びペットの毛１１、１１も同時に吸引する。これらは、前記吸引ホース１５を通過した後、まず、前記タンク部１６で水分１２、１２及び長い毛１１、１１、を分離し、捕集する。その後、前記フィルター１９により微細な毛やゴミを取り除き、前記排気口２０より排気される。
【００２７】
ここで、前記ヘッド部１には、操作性向上のため、操作盤３１を設置し、本体を制御することも可能である。
【００２８】
前記実施例によれば、温風に加え、水分も吸引されるため、ペットの乾燥が早く、また、前記温風流出部８を設けたことで、一度により広い範囲での乾燥が可能となり、乾燥効率の高いペット用ドライヤーとなった。
【実施例２】
【００２９】
本考案の他の実施例を図３及び図４について説明すれば、このペット用ドライヤーは、実施例１記載のペット用ドライヤーから、温風流出部８ｂを除き、ヘッド部１の吸引口１０に、ブラシ１３を着脱自在に取り付けたものである。
【００３０】
前記ブラシ１３の基部の取付板には、空気を通過させるための孔１４、１４を設けた。
【００３１】
また、ブラシの高さに合わせて、前記開口部１０の後縁部にもガード７を設けた。
【００３２】
前記において、吸引時には、図３（ｂ）図示の各矢示３２、３３の方向に空気が流動する。これにより、前記電熱部６で生成された温風は、前記温風流出部８ａからペット５にあたり、孔１４、１４を通過して吸引口１０から吸引される。
【００３３】
ここで、図４図示の通り、前記ヘッド部１の両側面に、温風流通部２２、２２を設けることもできる。これにより前記電熱部６で生成された温風は、一部は前記温風流通部８ａからペットにあたり、一部は前記温風流出部８ｂ、８ｂ及び仕切り１ｂの下方を通過し、吸引される。これにより、ペットの毛に邪魔されて吸引力を落とすことなく、ペットの体の表面の広範囲に温風をあてることができる。
【００３４】
前記実施例によれば、前記ブラシ１３を装着すれば、ブラッシング機能も加えることができ、作業時間も短縮できた。
【実施例３】
【００３５】
本考案の他の実施例を図５について説明すれば、このペット用ドライヤーは、実施例１記載のペット用ドライヤーのタンク部１６及びフィルター１９と、吸引動力部１７及び該吸引動力部１７に接続されたファン１８とを分離して、タンク装置３と吸引装置４とし、吸引ホース２６で接続したものである。
【００３６】
前記において、微細な毛やゴミを取り除くための、固気分離のフィルター２１は、前記吸引ホース２６の接続部に取り付けた。
【００３７】
また、前記吸引装置４は、専用の吸引装置以外にも、家庭用電気掃除機などの公知の吸引装置を使用することもできる。
【実施例４】
【００３８】
本考案の他の実施例を図６について説明すれば、このペット用ドライヤーは、ヘッド部１の吸引口１０に中空ブラシ片２４より成るブラシ３０を取り付け、前記ブラシ片２４、２４のそれぞれの先端に設けた複数の小孔２５、２５から温風を同図矢示３４、３４のように流出させるものである。
【００３９】
前記ブラシ３０の基部はパイプ２３、２３を用いたが、空気を通過させることができるものであれば、中空盤でもよく、構造は問わない。
【００４０】
前記において、吸引時には、図６（ｃ）図示の各矢示の方向に空気が流動する。前記電熱部６で生成された温風を仕切り１ｂに接する端部から前記ブラシ片２４に送る。また、該ブラシ片２４の先端部には小孔２５、２５が複数設けられており、そこを温風が通過する。通過した温風及び、ペット５に付着した水分１２、１２及び毛１１、１１は、前記パイプ３０、３０間の隙間から吸引される。
【００４１】
前記実施例において、温風がペットの毛の根元部分の皮膚に温風があたることになり、乾燥の時間が短縮される。
【図面の簡単な説明】
【００４２】
【図１】（ａ）本考案の実施例のヘッド部の一部拡大断面図、（ｂ）同じく（ａ）の吸引時の一部拡大断面の説明図、（ｃ）同じく（ａ）の仕切り部分の一部拡大断面図。
【図２】同じくペット用ドライヤー全体の説明図。
【図３】（ａ）同じくブラシの一部断面拡大斜視図、（ｂ）同じく（ａ）をヘッド部に装着した時の一部拡大断面図、（ｃ）同じく（ａ）の吸引時の一部拡大断面の説明図。
【図４】同じくヘッド部の一部を省略した拡大斜視図。
【図５】同じく他の実施例全体の説明図。
【図６】（ａ）同じく他の実施例の中空ブラシの拡大平面図、（ｂ）同じく一部を省略したブラシ片の拡大断面図、（ｃ）同じく（ａ）の中空ブラシを取り付けたヘッド部の一部拡大断面図。
【符号の説明】
【００４３】
１  ヘッド部
１ａ  ヘッド部外装
１ｂ  仕切り
２  本体
３  タンク装置
４  吸引装置
５  ペット
６  電熱部
７  ガード
８ａ、８ｂ、２２  温風流出部
９  吸入口
１０  吸引口
１１  毛
１２  水分
１３  ブラシ
１３ａ、２４  ブラシ片
１４  孔
１５、２６  吸引ホース
１６  タンク部
１７  吸引動力部
１８  ファン
１９、２１  フィルター
２０  排気口
２３  パイプ
２５  小孔
３０  ブラシ
【図１】
0003142624.tif 000003
【図２】
0003142624.tif 000004
【図３】
0003142624.tif 000005
【図４】
0003142624.tif 000006
【図５】
0003142624.tif 000007
【図６】
0003142624.tif 000008